(57)【要約】【課題】本発明は、体表面の外観を調節することができる体表面被覆シートを提供することを目的とする。【解決手段】本発明は、錯視を引き起こす模様が、体表面対向面と反対側の面に施されている、体表面を被覆するためのシートを提供する。前記模様は、前記シートにより被覆される体表面に設けられた構造物による膨らみ又は前記シートにより被覆される体表面の膨らみ若しくは凹みを目立たないようにする錯視を引き起こすものであってよい。前記錯視はクレーター錯視でありうる。【選択図】図２
2019130309.tif 000002
【特許請求の範囲】
【請求項１】
錯視を引き起こす模様が、体表面対向面と反対側の面に施されている、体表面を被覆するためのシート。
【請求項２】
前記模様が、前記シートにより被覆される体表面に設けられた構造物による膨らみ又は前記シートにより被覆される体表面の膨らみ若しくは凹みを目立たないようにする錯視を引き起こすものである、請求項１に記載のシート。
【請求項３】
前記錯視がクレーター錯視である、請求項１又は２に記載のシート。
【請求項４】
前記膨らみ又は前記凹みに対応するシート領域の上部又は下部に、他のシート領域と比べて低い明度を有する部分が設けられている、請求項２又は３に記載のシート。
【請求項５】
前記低い明度を有する部分が、前記膨らみの端から中心に向かうにつれて明度が徐々に高くなるようなグラデーションを有する、請求項４に記載のシート。
【請求項６】
前記低い明度を有する部分が、前記凹みの端から中心に向かうにつれて明度が徐々に高くなるようなグラデーションを有する、請求項４に記載のシート。
【請求項７】
前記体表面対向面に粘着性を有する領域が設けられている、請求項１〜６のいずれか一項に記載のシート。
【請求項８】
前記反対側の面が肌色である、請求項１〜７のいずれか一項に記載のシート。
【請求項９】
前記模様が、複数のドット群から構成されており、前記ドット群が、複数のドットから構成されており、
前記複数のドット群が、それぞれランダムに色属性値が設定されている、
請求項１に記載のシート。
【請求項１０】
前記模様が、複数のドットから構成されており、
前記複数のドットは、それぞれ色属性値が設定されており、前記複数のドットのＲＧＢ値を平均化する色平均化処理が行われている、
請求項１又は９に記載のシート。
【請求項１１】
前記模様が、複数のドットから構成されており、
前記複数のドットは、それぞれ色属性値が設定されており、前記複数のドット間の境界をぼかすぼかし処理が行われている、
請求項１、９、又は１０のいずれか一項に記載のシート。
【請求項１２】
前記模様が、複数のドットから構成されており、
前記複数のドットは、それぞれ色属性値が設定されており、前記模様の端から中心に向かうにつれて、それぞれのドットのＲＧＢ値が徐々に変化するようなグラデーション処理が連続的に行われている、
請求項１、９、１０又は１１のいずれか一項に記載のシート。
【請求項１３】
請求項１〜１２のいずれか一項に記載のシートが、体表面対向面と反対側の面に用いられているストーマ袋。
【発明の詳細な説明】
【技術分野】
【０００１】
本発明は、体表面を被覆するためのシートに関し、特には、特定の模様が施されている、体表面を被覆するためのシートに関する。
また、本発明は、前記特定の模様が施されているストーマ袋に関する。
【背景技術】
【０００２】
種々の体表面被覆シートが開発されている。体表面被覆シートは、例えば患部を周囲から見えなくなるようにするために又は患部を保護するために用いられている。
【０００３】
例えば、下記特許文献１には、入浴用患部カバーが開示されている。当該入浴用患部カバーは、少なくとも人工肛門のストーマ装具を覆うことが可能な大きさの被覆シートを含み、当該被覆シートの下面に皮膚への貼着が可能な粘着面が形成され、当該粘着面の中央部分には可撓性のある目隠しシートが一体に接合されている。当該目隠しシートによりストーマ装具を覆うことによって、当該ストーマ装具は外部から見えなくなると記載されている。
【０００４】
また、下記特許文献２には、人の皮膚に貼られる皮膚シールが開示されている。当該皮膚シールは、人の皮膚に付いている模様を隠すためのものであり、皮膚に転写されるインキ層を有する。特許文献２は、当該インキ層の周辺部において、グラデーションが形成されていることを記載する。当該グラデーションによって、当該皮膚シールを人の皮膚に貼った部分を第三者が見たときに、中央部の肌色と人の皮膚の肌色との間で視覚的に違和感を与えることが無くなると記載されている。
【先行技術文献】
【特許文献】
【０００５】
【特許文献１】特開２００７−３１９５６１号公報
【特許文献２】特開２０１６−１９０８２５号公報
【発明の概要】
【発明が解決しようとする課題】
【０００６】
種々の用途に向けられた体表面被覆シートが開発されている。これら体表面被覆シートは、目立たないようにすることがしばしば求められる。例えばストーマ装具を体表面被覆シートによって被覆した場合、体表面被覆シートが膨らんで見える。例えば入浴時など、他者から見られる可能性がある場面において、このような膨らみを目立たないようにすることが求められる。
また、例えば手術などによって体表面に凹みが生じる場合がある。このような凹みが目立たないようにすることが求められる場合もある。
以上を踏まえ、本発明は、体表面の外観を調節することができる体表面被覆シートを提供することを目的とする。
また、本発明は、前記シートが用いられることによって、表面の膨らみなどの外観を目立たないようにするストーマ袋を提供することを目的とする。
【課題を解決するための手段】
【０００７】
本発明は、以下の体表面被覆シートを提供する。
すなわち、本発明は、錯視を引き起こす模様が、体表面対向面と反対側の面に施されている、体表面を被覆するためのシートを提供する。
また、本発明は、このシートが用いられているストーマ袋を提供する。
すなわち、本発明は、錯視を引き起こす模様が、体表面対向面と反対側の面に用いられているストーマ袋を提供する。
【発明の効果】
【０００８】
本発明により、体表面の外観を調節することができる体表面被覆シートが提供される。本発明の体表面被覆シートによって、例えば前記シートにより被覆される体表面に設けられた構造物による膨らみ又は前記シートにより被覆される体表面の膨らみ若しくは凹みを目立たないようにすることができる。
また、本発明により、表面の膨らみなどの外観を目立たないようにするストーマ袋が提供される。
【図面の簡単な説明】
【０００９】
【図１】クレーター錯視の例を示す図である。
【図２】本発明に従う体表面被覆シートを構成する２つの面のうち、体表面対向面と反対側の面に施された模様の例を示す図である。
【図３】図２の模様を複数の領域に区分けして示した図である。
【図４】本発明に従う体表面被覆シートに、剥離可能シートが積層されている状態を示す模式図である。
【図５】本発明に従う体表面被覆シート及び当該シートに積層された剥離可能シートの構成要素を分離して示した模式図である。
【図６】剥離可能シートのうち第一の部分を体表面被覆シートから剥離した状態を示す模式図である。
【図７】模様の例を示した図である。
【図８】模様の例を示した図である。
【図９】模様の例を示した図である。
【図１０】模様の例を示した図である。
【図１１】模様の例を示した図である。
【図１２】模様の例を示した図である。
【図１３】模様の例を示した図である。
【図１４】模様の例を示した図である。
【図１５】模様の例を示した図である。
【図１６】模様の例を示した図である。
【図１７】模様の例を示した図である。
【図１８】模様の例を示した図である。
【図１９】模様の例を示した図である。
【図２０】ストーマ装具の例を示す断面図である。
【発明を実施するための形態】
【００１０】
以下、本発明を実施するための好適な実施形態について説明する。なお、以下に説明する実施形態は、本発明の代表的な実施形態の一例を示したものであり、本発明の範囲は当該実施形態のみに限定されるものでない。
【００１１】
（１）本発明の基本概念
本発明の体表面を被覆するためのシート（以下、「体表面被覆シート」ともいう）は、錯視を引き起こす模様を、体表面対向面と反対側の面に有する。当該模様によって、体表面の外観を調節することができ、例えば体表面被覆シートが貼り付けられている部分を目立たなくすることができる。これにより、例えば体表面被覆シートにより被覆された部分に他者が注目する可能性を下げることができる。また、体表面被覆シートにより被覆された部分を他者に見られる可能性がある場面に対する心理的な抵抗感を減らすことができる。例えば、当該体表面被覆シートを他者に見られる可能性のある入浴施設に入ることに対する抵抗感を減らすことができる。
【００１２】
本発明の体表面被覆シートは、体表面対向面と当該体表面対向面と反対側の面とを少なくとも備えている。体表面対向面とは、体表面を被覆する際に、体表面に対向する面である。当該反対側の面は、体表面対向面と反対側を向く面であり、本発明の体表面被覆シートによって体表面を被覆した場合に、当該反対側の面が他者から視認可能となる。本発明において、当該反対側の面に、錯視を引き起こす模様が施されている。錯視の種類は、所望の外観に応じて適宜選択されてよい。
【００１３】
本発明の実施態様の一つに従い、前記模様は、前記シートにより被覆される体表面に設けられた構造物による膨らみを目立たないようにする錯視を引き起こすものであってよい。当該構造物として、例えばストーマ装具、胃ろう用器具、及び体表面に貼り付けて用いられる生体情報測定装置などを挙げることができる。当該構造物を体表面被覆シートにより被覆することによって、当該構造物が隠され、且つ、当該構造物を被覆したことによって生じた膨らみを目立たなくすることができる。
当該膨らみの高さは、例えば０．１ｃｍ〜５ｃｍ、好ましくは０．５〜４ｃｍ、より好ましくは１ｃｍ〜２ｃｍでありうる。当該高さとは、前記構造物を体表面被覆シートにより被覆した場合における、体表面に対する当該シートの前記反対側の面の高さの最大値である。すなわち、このような高さを有する膨らみが、前記模様によって目立たなくされる。
本発明のシートは、特にはストーマ装具が取り付けられた体表面を被覆するために適している。ストーマ装具は、例えば面板及びストーマ袋から構成される。面板は、例えばストーマ周囲の皮膚に取り付けられる部材をいう。ストーマ袋は、ストーマからの排泄物を収容する袋である。本発明の体表面被覆シートは、例えば面板と丸められたストーマ袋とを覆うように、体表面に貼り付けられうる。
【００１４】
本発明の他の実施態様に従い、前記模様は、前記シートにより被覆される体表面の膨らみを目立たないようにする錯視を引き起こすものである。体表面の膨らみとして、例えば体表面の隆起、特には黒子、いぼ、かさぶた、こぶ、手術跡、創傷、及び創傷痕などを挙げることができる。これらの膨らみがある部分を本発明の体表面被覆シートによって被覆することで、これらの膨らみが隠される及び／又は保護されるとともに、これらの膨らみを体表面被覆シートによって被覆したことに起因する膨らみが目立たなくなる。
当該膨らみは、例えば０．１ｃｍ〜３ｃｍ、好ましくは０．３ｃｍ〜２ｃｍ、より好ましくは０．５ｃｍ〜１ｃｍの高さを有しうる。当該高さとは、例えば体表面の隆起を体表面被覆シートにより被覆した場合における、体表面に対する当該シートの前記反対側の面の高さの最大値である。すなわち、このような高さを有する膨らみが、前記模様によって目立たなくされる。
【００１５】
本発明の他の実施態様に従い、前記模様は、前記シートにより被覆される体表面の凹みを目立たないようにする錯視を引き起こすものである。体表面の凹みとして、例えば手術跡又は創傷痕の凹みを挙げることができる。これらの凹みがある部分を本発明の体表面被覆シートによって被覆することで、当該凹みが目立たなくなる。
当該凹みは、例えば０．１ｃｍ〜５ｃｍ、好ましくは０．５〜４ｃｍ、より好ましくは１ｃｍ〜３ｃｍの深さを有しうる。当該深さとは、体表面に対する当該凹みの最深部の深さである。すなわち、このような深さを有する凹みが、前記模様によって目立たなくされる。
【００１６】
本発明の体表面被覆シートに施される前記錯視は、好ましくはクレーター錯視である。クレーター錯視は、物体表面の凹凸を当該物体表面の色の濃淡（特には陰影情報）に基づきヒトは知覚するという知覚特性を利用した錯視である。クレーター錯視の例を図１に示す。図１（ａ）に示される画像では、表面に凹みがあるように見える。また、図１（ｂ）に示される画像では、表面が膨らんでいるように見える。このように、クレーター錯視を引き起こす模様は、物体表面の凹凸の知覚に影響を及ぼすことができる。そのため、クレーター錯視は本発明の体表面被覆シートに付される模様として好ましい。クレーター錯視を引き起こす模様は、特にはストーマ装具を体表面被覆シートによって被覆した場合に生じる膨らみを目立たなくするために適している。
【００１７】
クレーター錯視を引き起こす模様は、知覚が調節されるべき凹凸の大きさ及び形状に応じて、当業者により適宜選択されてよい。例えば、光が膨らみ又は凹みに照射された場合に生じるシート上の模様（特には明度の変化による模様）を打ち消すように、シートの各領域の明度が設定されてよい。
例えば直立しているヒトの腹部にある膨らみに対して、天井の照明又は太陽から光が照射された場合、当該膨らみの上部は、膨らみ以外の部分と比べてより明るく見える。そこで、当該膨らみの上部に対応するシート領域の色が、他のシート領域と比べてより暗くされうる。また、膨らみに対して、天井の照明又は太陽から光が照射された場合、当該膨らみの下部は、膨らみ以外の部分と比べてより暗く見える。そこで、当該膨らみの下部に対応するシート領域の色が、他のシート領域と比べてより明るくされうる。シートの各領域の明度をこのように調節することで、膨らみが目立たなくされる。
また、例えば直立しているヒトの腹部にある凹みに対して、天井の照明又は太陽から光が照射された場合、当該凹みの上部は、凹み以外の部分と比べてより暗く見える。そこで、当該凹みの上部に対応するシート領域の色が、他のシート領域と比べてより明るくされうる。また、凹みに対して、天井の照明又は太陽から光が照射された場合、当該凹みの下部は、凹み以外の部分と比べてより明るく見える。そこで、当該凹みの下部に対応するシート領域の色が、他のシート領域と比べてより暗くされうる。シートの各領域の明度をこのように調節することで、凹みが目立たなくされる。
【００１８】
本発明の体表面被覆シートは、体表面を被覆する為に用いられるものであればよく、種々の用途の体表面被覆シートが包含される。体表面被覆シートは、例えばストーマ装具などの構造物を被覆するためのシート、特には入浴時に当該構造物を被覆するために用いられるシートであってよい。体表面被覆シートは、例えば絆創膏、湿布、テープ、包帯などであってもよい。
また、体表面被覆シートは、体表面の構造物又は体表面上の膨らみを隠すためでなく、体表面の外観調節のためにのみ用いられてもよく、特には体表面の凹凸の知覚の調節のためにのみ用いられてもよい。
【００１９】
本発明の体表面被覆シートの材料は当業者により適宜選択されうる。体表面被覆シートの材料は、好ましくは伸縮可能でありうる。これにより、例えば被覆されるべき器具又は部位をより適切に被覆することができる。また、貼り付け作業がより簡便に行われうる。
体表面被覆シートの基材の材料として、例えばポリ塩化ビニル、ポリエチレン、ポリプロピレン、ポリエステル、ポリカーボネート、及びポリウレタンを挙げることができる。体表面被覆シートの基材の材料は、素材のしなやかさの理由から好ましくはポリ塩化ビニルである。ポリ塩化ビニルの基材として、例えばCL34054（バンドー化学株式会社、厚み６０μｍ）を挙げることができる。体表面被覆シートの基材の厚みは、例えば１０〜１００μｍ、特には３０〜９０μｍ、より特には４０〜８０μｍ、さらにより特には５０〜７０μｍでありうる。
【００２０】
好ましくは、体表面への貼り付けを容易にするために、体表面対向面には粘着性を有する領域が設けられていてよい。また、当該体表面対向面には、好ましくは剥離可能シートが積層されうる。剥離可能シートによって、体表面対向面が汚れること及び／又は体表面対向面が意図しない領域へ貼りつくことを防ぐことができる。
粘着性をもたらすための材料は、体表面被覆シートの用途によって当業者により適宜選択されてよい。当該粘着性は、例えば粘着剤を体表面対向面に積層することによりもたらされうる。当該粘着剤として、例えばアクリル系粘着剤、ゴム系粘着剤、及びシリコーン系粘着剤を挙げることができる。本発明において、皮膚への低刺激の理由からアクリル系粘着剤が粘着剤として好ましい。これら粘着剤は、例えばエマルジョンの粘着剤であってもよく、又は、有機溶剤系の粘着剤であってもよい。粘着剤の施与量は、例えば１０〜５０ｇ／ｍ２、特には１５〜４５ｇ／ｍ２、より特には２０〜４０ｇ／ｍ２、さらにより特には２５〜３５ｇ／ｍ２、さらにより特には約３０ｇ／ｍ２でありうる。
【００２１】
本発明の体表面被覆シートにおいて、前記反対側の面（錯視模様が施されている面）の色は、被覆されるべき領域の色及び／又は被覆されるべき対象の肌の色に応じて適宜選択されてよい。好ましくは、当該色は肌色である。これにより、体表面被覆シートはより目立たなくなる。
【００２２】
本発明の体表面被覆シートの形状及び大きさは、被覆されるべき体表面の形状及び大きさによって適宜設定されてよい。本発明の体表面被覆シートの形状は、例えば円形、楕円形、又は矩形であってよい。矩形には、例えば正方形、長方形、角が丸くされた正方形、及び角が丸くされた長方形が包含される。
本発明の体表面被覆シートは、少なくとも一つの辺が例えば５〜３５ｃｍ、特には６〜３０ｃｍ、より特には７〜２５ｃｍである矩形でありうる。例えば体表面被覆シートが長方形である場合、長辺が例えば５〜３５ｃｍ、特には６〜３０ｃｍ、より特には７〜２５ｃｍであり、且つ、短辺が例えば３〜３０ｃｍ、特には４〜２５ｃｍ、より特には５〜２２ｃｍでありうる。
また、本発明の体表面被覆シートは、直径が例えば５〜３５ｃｍ、特には６〜３０ｃｍ、より特には７〜２５ｃｍである円であってもよい。また、体表面被覆シートは、長径が例えば５〜３５ｃｍ、特には６〜３０ｃｍ、より特には７〜２５ｃｍである楕円であってもよい。
【００２３】
（２）体表面被覆シートの第一の例（膨らみを目立たないようにする錯視模様）
図２及び３を参照して、本発明の体表面被覆シートについて説明する。図２は、本発明に従う体表面被覆シート１００を構成する２つの面のうち、体表面対向面と反対側の面に施された模様の例を示す図である。当該模様は、体表面に設けられた構造物を体表面被覆シートにより被覆することによって生じた膨らみ又は体表面の膨らみを目立たないようにする錯視を引き起こすものである。当該錯視は、クレーター錯視である。当該模様によって、前記膨らみが他者によって知覚されないようにすることができる。図３は、図２の模様を線で複数の領域に区分けして示したものである。
【００２４】
図２及び３に示されるとおり、前記体表面被覆シート１００は、体表面対向面と反対側の面に、前記膨らみに対応するシート領域１０１を有する。ここで、「膨らみに対応するシート領域」とは、本発明のシートによって体表面を被覆した際に、例えば当該膨らみ（又は凸形状）が形成されている又は形成されると想定される領域であってよい。また、「膨らみに対応するシート領域」とは、目立たなくされるべき膨らみが生じている領域と言ってもよい。図３に示されるとおり、当該膨らみに対応するシート領域１０１は、中央部分１０３、中央部分１０３よりも低い明度を有する部分１０２、及び中央部分１０３よりも高い明度を有する部分１０４を含む。
【００２５】
中央部分１０３よりも低い明度を有する部分１０２は、前記膨らみに対応するシート領域１０１の縁（又は周囲長）のうち、例えば上側半分〜上側五分の一、上側半分〜上側四分の一、又は上側半分〜上側三分の一を占めていてよい。図３においては、中央部分１０３よりも低い明度を有する部分１０２は、前記膨らみに対応するシート領域１０１の縁（又は周囲長）のうち上側の約半分を占めている。中央部分１０３よりも低い明度を有する部分１０２によって、膨らみの上部に生じる明るい部分が知覚されにくくなり、その結果膨らみを目立たなくすることができる。
なお、本発明において、「上部」及び「上側」は、本発明のシートを被覆されたヒトに対して照射される光の光源の位置により近い部分を示すものであってよく、「下部」及び「下側」は、当該光源の位置からより遠い部分を示すものであってよい。光源の位置は、例えば天井にある照明の位置又は太陽の位置でありうる。
【００２６】
図２及び３に示されるとおり、中央部分１０３よりも低い明度を有する部分１０２は、好ましくは、前記膨らみに対応するシート領域１０１の端（すなわち、当該低い明度を有する部分１０２と周囲部分１０５との境界）から中央部分１０３に向かって明度が徐々に高くなるようなグラデーションを有する。当該グラデーションによって、膨らみがより目立たなくなる。
中央部分１０３よりも低い明度を有する部分１０２の幅Ｗ１（すなわち、当該低い明度を有する部分１０２と周囲部分１０５との境界から前記グラデーションが終了する位置までの距離の最小値）は、例えば膨らみの高さに応じて、当業者により適宜選択されてよい。当該幅は、例えば０．３ｃｍ〜５ｃｍ、好ましくは０．５ｃｍ〜３ｃｍ、より好ましくは０．５〜２ｃｍでありうる。
【００２７】
当該グラデーションは、例えばシート表面の色の明度を徐々に変化させることによって形成されうる。当該明度の変化の仕方は、目立たなくされるべき膨らみに応じて当業者により適宜選択されてよい。例えば、当該シート表面の模様を肌色インクを用いて作成する場合、前記膨らみに対応するシート領域１０１の端において、肌色インクを塗布する量を最も高くし、中央部分１０３に向かうにつれて、肌色インクを塗布する量を徐々に低くすることで、当該前記グラデーションが形成されうる。肌色インクとして、例えばＤＩＣ６インク（ＤＩＣ株式会社製）を用いることができる。
例えば、当該低い明度を有する部分１０２中の周囲部分１０５側の端における単位面積当たりの肌色インク塗布量（塗布質量又は塗布体積）を１００％とした場合、当当該低い明度を有する部分１０２中の中央部分１０３側の端に向かうにつれて当該肌色インク塗布量を徐々に下げ、当該低い明度を有する部分１０２中の中央部分１０３側の端において当該肌色インク塗布量を例えば６０〜９５％、好ましくは６５〜９０％とすることによってグラデーションが形成されてよい。より好ましくは、当該低い明度を有する部分１０２中の中央部分１０３側の端における色が、中央部分１０３における色と同じになるように、グラデーションが形成されうる。中央部分１０３の色は、被覆されるべき体表面の色と同じ又は同様の色であることが好ましい。
【００２８】
中央部分１０３よりも高い明度を有する部分１０４は、当該膨らみに対応するシート領域１０１の縁（又は周囲長）のうち、例えば下側半分〜下側五分の一、下側半分〜下側四分の一、又は下側半分〜下側三分の一を占めていてよい。例えば図３においては、中央部分１０３よりも高い明度を有する部分１０４は、前記膨らみに対応するシート領域１０１の縁（又は周囲長）のうち下側の約半分を占めている。中央部分１０３よりも高い明度を有する部分１０４によって、膨らみの下部に生じる暗い部分が知覚されにくくなり、その結果膨らみを目立たなくすることができる。
【００２９】
図２及び３に示されるとおり、当該高い明度を有する部分１０４は、好ましくは、前記膨らみの端（すなわち、当該高い明度を有する部分１０４と周囲部分１０５との境界）から中央部分１０３に向かって明度が徐々に低くなる又は高くなるようなグラデーションを有する。当該グラデーションによって、膨らみがより目立たなくなる。
当該高い明度を有する部分１０４の幅Ｗ２（すなわち、当該高い明度を有する部分１０４と周囲部分１０５との境界から前記グラデーションが終了する位置までの距離の最小値）は、例えば膨らみの高さに応じて、当業者により適宜選択されてよい。当該幅は、例えば０．３ｃｍ〜５ｃｍ、好ましくは０．５ｃｍ〜３ｃｍ、より好ましくは０．５〜２ｃｍでありうる。
【００３０】
当該グラデーションは、例えばシート表面の色の明度を徐々に変化させることによって形成されうる。当該明度の変化の仕方は、目立たなくされるべき膨らみに応じて当業者により適宜選択されてよい。例えば、当該シート表面の模様を肌色インクを用いて作成する場合、前記膨らみの端から中心に向かうにつれて、肌色インクの塗布する量を徐々に高める又は低めることで、当該前記グラデーションが形成されうる。
例えば、当該高い明度を有する部分１０４中の周囲部分１０５側の端における単位面積当たりの肌色インク塗布量（塗布質量又は塗布体積）を１００％とした場合、当当該高い明度を有する部分１０４中の中央部分１０３側の端に向かうにつれて当該肌色インク塗布量を徐々に下げ、当該高い明度を有する部分１０４中の中央部分１０３側の端において当該肌色インク塗布量を例えば７０〜９５％、好ましくは８０〜９０％とすることによってグラデーションが形成されてよい。又は、当該高い明度を有する部分１０４中の中央部分１０３側の端における単位面積当たりの肌色インク塗布量（塗布質量又は塗布体積）を１００％とした場合、当当該高い明度を有する部分１０４中の周囲部分１０５側の端に向かうにつれて当該肌色インク塗布量を徐々に下げ、当該高い明度を有する部分１０４中の周囲部分１０５側の端において当該肌色インク塗布量を例えば７０〜９５％、好ましくは８０〜９０％とすることによってグラデーションが形成されてよい。
【００３１】
また、図２及び３に示されるとおり、周囲部分１０５において、シートの縁に向かうにつれて色が徐々に薄くなるグラデーションが設けられていてよい。このようなグラデーション模様によって、体表面被覆シートと体表面との境界がぼやかされ、体表面被覆シートがより目立たなくなる。当該グラデーションは、上記で述べたグラデーションの形成方法と同様の方法で形成されてよい。
より好ましくは、シートの縁に向かうにつれてシートの色が肌色から透明へと徐々に変化するグラデーションが設けられていてよい。このようなグラデーション模様によって、体表面被覆シートがさらにより目立たなくなる。例えば、透明の基材上に、肌色インクの塗布量を徐々に変えながら肌色インクを塗布することによって、上記グラデーションが形成されうる。より具体的にはシートの縁に向かうにつれて肌色インクの塗布量を徐々に減らし、シートの縁では肌色インクの塗布量が０となるように肌色インクを塗布することで、上記グラデーションが形成されうる。
【００３２】
前記膨らみに対応するシート領域１０１の形状及び大きさは、目立たなくされるべき膨らみの形状及び大きさによって適宜設定されてよい。前記膨らみに対応するシート領域の形状は、例えば円形、楕円形、又は矩形であってよい。矩形には、例えば正方形、長方形、角が丸くされた正方形、及び角が丸くされた長方形が包含される。
前記膨らみに対応するシート領域は、少なくとも一つの辺が例えば３〜３０ｃｍ、特には４〜２５ｃｍ、より特には５〜２０ｃｍである矩形でありうる。例えば中央領域８が長方形である場合、長辺が例えば３〜３０ｃｍ、特には４〜２５ｃｍ、より特には５〜２０ｃｍあり、且つ、短辺が例えば２〜２０ｃｍ、特には３〜１６ｃｍ、より特には４〜１２ｃｍでありうる。
また、前記膨らみに対応するシート領域１０１は、直径が例えば３〜３０ｃｍ、特には４〜２５ｃｍ、より特には５〜２０ｃｍである円であってもよい。また、当該前記膨らみに対応するシート領域は、長径が例えば３〜３０ｃｍ、特には４〜２５ｃｍ、より特には５〜２０ｃｍである楕円であってもよい。
【００３３】
（３）体表面被覆シートの第二の例（凹みを目立たないようにする錯視模様）
本発明の体表面被覆シートは、体表面の凹みを目立たないようにする錯視を引き起こす模様を施されているものであってもよい。当該模様は、例えば、図２において示した模様の上下を逆さまにした模様でありうる。当該模様について、以下に説明する。
【００３４】
前記凹みを目立たないようにする錯視を引き起こすために、例えば、当該凹みに対応するシート領域の下部に、凹みの中央部分よりも低い明度を有する部分が設けられていてよい。ここで、「凹みに対応するシート領域」とは、例えば本発明のシートによって体表面を被覆した際に当該凹みが形成されている領域であってよい。また、「凹みに対応するシート領域」とは、目立たなくされるべき凹みが生じている領域と言ってもよい。
当該低い明度を有する部分は、当該凹みに対応するシート領域の縁（又は周囲長）のうち、例えば下側半分〜下側五分の一、下側半分〜下側四分の一、又は下側半分〜下側三分の一を占めていてよい。当該低い明度を有する部分によって、凹みの下部に生じる明るい部分が知覚されにくくなり、その結果凹みを目立たなくすることができる。
【００３５】
当該低い明度を有する部分は、好ましくは、前記凹みの端から中心に向かうにつれて明度が徐々に高くなるようなグラデーションを有する。当該グラデーションによって、凹みがより目立たなくなる。
グラデーションは、例えばシート表面の色の明度を徐々に変化させることによって形成されうる。当該明度の変化の仕方は、目立たなくされるべき凹みに応じて当業者により適宜選択されてよい。例えば、当該シート表面の模様を肌色インクを用いて作成する場合、前記凹みの端からシートの中央に向かって単位面積当たりの肌色インク塗布量を徐々に低めることで、当該前記グラデーションが形成されうる。
【００３６】
また、前記凹みに対応するシート領域の上部に、凹みの中央部分よりも高い明度を有する部分が設けられうる。当該高い明度を有する部分によって、凹みがさらに目立たなくなる。
当該高い明度を有する部分は、当該凹みに対応するシート領域の縁（又は周囲長）のうち、例えば上側半分〜上側五分の一、上側半分〜上側四分の一、又は上側半分〜上側三分の一を占めていてよい。当該高い明度を有する部分によって、凹みの上部に生じる暗い部分が知覚されにくくなり、その結果凹みを目立たなくすることができる。
当該高い明度を有する部分は、好ましくは、前記凹みの端から中心に向かうにつれて明度が徐々に低くなる又は高くなるようなグラデーションを有する。当該グラデーションによって、凹みがより目立たなくなる。
グラデーションは、例えばシート表面の色の明度を徐々に変化させることによって形成されうる。当該明度の変化の仕方は、目立たなくされるべき凹みに応じて当業者により適宜選択されてよい。例えば、当該シート表面の模様を肌色インクを用いて作成する場合、前記凹みの端から中心に向かうにつれて、単位面積当たりの肌色インク塗布量を徐々に低める又は高めることで、当該前記グラデーションが形成されうる。
【００３７】
（４）体表面被覆シートの第三の例（シートの具体例）
本発明の体表面被覆シートの具体例を以下において、図４及び５を参照して説明する。図４は、当該体表面被覆シートに、剥離可能シートが積層されている状態を示す模式図である。図５は、当該体表面被覆シート及び剥離可能シートの構成要素を分離して示した模式図である。
【００３８】
図４及び５に示されるとおり、体表面被覆シート１の体表面対向面６に、剥離可能シート３が積層されている。錯視を引き起こす模様が、体表面対向面６と反対側の面７に施されている。当該錯視を引き起こす模様は、上記「（２）体表面被覆シートの第一の例」において説明した膨らみを目立たないようにする錯視模様であってよく、又は、上記「（３）体表面被覆シートの第二の例」において説明した凹みを目立たないようにする錯視模様であってもよい。
【００３９】
体表面被覆シート１は、例えば１枚のシートであってよく、すなわち２つの面を有する。当該２つの面は、体表面対向面６及び当該体表面対向面６と反対側の面７である。図５に示されるとおり、体表面対向面６は、体表面対向面６の中央領域８には粘着性が無く、且つ、前記中央領域の周辺領域９には粘着性が有るように構成されていてもよい。粘着性が無い中央領域８及び粘着性が有る周辺領域９を有することで、例えば被覆されるべき器具又は部位には体表面被覆シート１は粘着せずに、当該被覆されるべき器具又は部位の周囲の体表面と体表面被覆シート１とが粘着することができる。その結果、体表面被覆シート１を体表面から剥がす際に、当該被覆されるべき器具が破損すること若しくは当該被覆されるべき部位が傷つくことを防ぐことができる。
【００４０】
中央領域８は、図５においては、角が丸くされた長方形である。中央領域８の形状及び大きさは、被覆されるべき器具又は部位の形状及び大きさによって適宜設定されてよい。中央領域８の形状は、例えば円形、楕円形、又は矩形であってよい。矩形には、例えば正方形、長方形、角が丸くされた正方形、及び角が丸くされた長方形が包含される。
中央領域８は、少なくとも一つの辺が例えば３〜３０ｃｍ、特には４〜２５ｃｍ、より特には５〜２０ｃｍである矩形でありうる。例えば中央領域８が長方形である場合、長辺が例えば３〜３０ｃｍ、特には４〜２５ｃｍ、より特には５〜２０ｃｍあり、且つ、短辺が例えば２〜２０ｃｍ、特には３〜１６ｃｍ、より特には４〜１２ｃｍでありうる。
また、中央領域８は、直径が例えば３〜３０ｃｍ、特には４〜２５ｃｍ、より特には５〜２０ｃｍである円であってもよい。また、当該中央領域は、長径が例えば３〜３０ｃｍ、特には４〜２５ｃｍ、より特には５〜２０ｃｍである楕円であってもよい。
【００４１】
周辺領域９は、中央領域８を完全に囲むように設けられていることが好ましい。これにより、例えば体表面被覆シート１を体表面に貼り付けたヒトが入浴した場合に、体表面被覆シート１と体表面との間に水が侵入することを防ぐことができる。その結果、被覆されるべき器具又は部位が、水に接触することを防ぐことができる。
周辺領域９の幅は、例えば体表面被覆シート１及び／又は中央領域８の大きさなどを考慮して、適宜設定されてよい。周辺領域９の幅は、例えば１〜１０ｃｍ、特には２〜８ｃｍ、より特には３〜６ｃｍでありうる。本発明において、周辺領域９の幅とは、周辺領域９の中央領域側の端と当該端と反対側の端との間の距離のうち最小の値をいう。
【００４２】
中央領域８は、粘着性を有さない領域でありうる。粘着性を有さない領域は、例えばのり殺し加工により又は粘着剤を積層しないことにより形成される。のり殺し加工とは、粘着剤の粘着性が働かないようにする処理である。のり殺し加工は、例えば糊殺し剤の施与又は糊殺し層の積層により行われてよい。
糊殺し剤として、例えばＵＶインクを挙げることができる。ＵＶインクとしては、例えばＵＶ  ＶＮＬシリーズのインク、ＵＶ１６１シリーズのインク、及びＵＶ  ＶＰ Ｓシリーズのインク（いずれも株式会社Ｔ＆Ｋ ＴＯＫＡ製）などを用いることができる。ＵＶインクにより形成される層の厚みは、例えば１〜２０μｍ、特には３〜１７μｍ、より特には５〜１５μｍ、さらにより特には７〜１３μｍ、さらにより特には約１０μｍであってよい。
糊殺し層として、例えばＰＥＴフィルムを挙げることができる。ＰＥＴフィルムの厚みは、例えば５〜５０μｍ、特には１０〜４０μｍ、より特には１５〜３５μｍ、さらにより特には２０〜３０μｍ、さらにより特には約２５μｍでありうる。
【００４３】
剥離可能シート３は、体表面対向面６に積層されうる。剥離可能シート３は、体表面に体表面被覆シート１を貼り付ける前に体表面被覆シート１から剥離され、そして、体表面被覆シート１によって体表面が被覆される。剥離可能シート３によって、体表面被覆シート１の体表面対向面６が汚れることを防ぐことができ、及び、粘着性がある周辺領域９が意図しない部分に粘着することを防ぐことができる。剥離可能シート３は、体表面対向面６のうち周辺領域９の全体及び中央領域８の一部を覆うように設けられていてよい。中央領域８が汚れないようにするために、剥離可能シート３は、体表面対向面６の全体を覆うように設けられていることが好ましい。剥離可能シート３は、例えば図４及び５に示されるとおり、体表面被覆シート１よりも大きくてよい。これにより、すなわち剥離可能シート３が、体表面被覆シート１の端からはみ出していてよい。これにより、剥離可能シート３を体表面被覆シート１から剥がすことが容易になる。
【００４４】
剥離可能シート３は、中央領域８、及び、周辺領域９のうち中央領域８の周囲、を覆う第一の部分４と、周辺領域９のうち、第一の部分４により覆われる領域の周囲を覆う第二の部分５とを備えていてよい。剥離可能シート３が、第一の部分４及び第二の部分５に分かれていることの技術的意義を以下に説明する。
第一の部分４は、中央領域８、及び、周辺領域９のうち中央領域８の周囲、を覆うように構成されうる。これにより、第一の部分４を、体表面被覆シート１から剥離したときに、粘着性の無い中央領域８と、中央領域８の周囲（すなわち粘着性が有る周辺領域９の一部）と、が露出する。中央領域８及び粘着性がある周辺領域９の当該一部が露出した状態を図６に示す。当該露出した状態で体表面被覆シート１を体表面に接触させることで、被覆されるべき器具又は部位には、粘着性の無い中央領域８が接触するので、体表面被覆シート１と当該被覆されるべき器具又は部位との位置関係を容易に調整することができる。また、当該位置関係が調整された状態で、粘着性の有る周辺領域９の前記一部を体表面に粘着させることで、当該位置関係が固定される。これによって、体表面被覆シート１の適切な位置への貼り付けを簡便に行うことができる。
【００４５】
本発明の好ましい実施態様において、中央領域８の色と、周辺領域９のうち中央領域８の周囲の色とが異なっていてよい。これらの色が異なることで、粘着性の有る部分と粘着性の無い部分とを容易に区別することができる。その結果、より簡便に体表面被覆シート１を体表面に貼り付けることができる。
【００４６】
第二の部分５は、周辺領域９のうち、第一の部分４により覆われる領域の周囲を覆うように構成されていてよい。粘着性が有る周辺領域９の前記一部によって体表面被覆シート１を体表面へ固定した後に、第二の部分５を体表面被覆シート１から剥離することで、粘着性の有る周辺領域９の残りの部分が露出する。露出した当該残りの部分を体表面に貼り付けることで、体表面被覆シート１が体表面により確実に粘着する。
第二の部分５は、図４及び５に示されるとおり、２つの部分にさらに分かれていてよい。これにより、体表面被覆シート１からの剥離を容易に行うことができる。第二の部分５は、３つ又は４つの部分に分かれていてもよい。第二の部分５の分割の仕方は、当業者により適宜行われてよい。
【００４７】
剥離可能シート３の材料として、公知の剥離紙又は剥離シートが用いられてよい。
剥離紙としては、例えばシリコーン塗工剥離紙を挙げることができる。シリコーン塗工剥離紙は、紙の層とポリエチレン（ＰＥ）層とシリコーン層とがこの順に積層されたものでありうる。シリコーン塗工剥離紙は、例えば紙の表面にＰＥ層を積層し、次に、当該当該ＰＥ層にシリコーン層を積層することで製造されうる。シリコーン塗工剥離紙の製造に用いられる紙の厚みは、例えば６０〜１００ｇ/ｍ２、６５〜９５ｇ/ｍ２、より特には７０〜９０ｇ/ｍ２、さらにより特には約８０ｇ/ｍ２でありうる。
剥離シートとしては、例えば延伸ポリプロピレン（ＯＰＰ）剥離シート及びポリエチレン（ＰＥ）剥離シートを挙げることができる。当該ＯＰＰ剥離シートは、ＯＰＰフィルムの表面に剥離剤を塗工することにより製造される。当該ＰＥ剥離シートは、ＰＥフィルムの表面に剥離剤を塗工することにより製造される。これら剥離シートの製造に用いられる剥離剤は、例えばシリコーン系の剥離剤でありうる。当該ＯＰＰ剥離シートの厚みは、例えば３０〜１００μｍ、特には４０〜８０μｍ、より特には５０〜７０μｍ、さらにより特には約６０μｍでありうる。当該ＰＥ剥離シートの厚みは、例えば５０〜１５０μｍ、特には７０〜１３０μｍ、より特には９０〜１１０μｍ、さらにより特には１００μｍでありうる。剥離可能シートが薄すぎる場合又は厚すぎる場合に、剥離可能シートを剥離しづらくなることがある。
【００４８】
次に、本発明の体表面被覆シートによる体表面の被覆手順の一例について、図４及び６を参照しながら説明する。
【００４９】
本発明の体表面被覆シート１は、体表面へ貼り付ける前は、図４に示されるように、剥離可能シート３が積層されていてよい。
まず、第一の部分４が、剥離可能シート３から剥離される。その結果、図６に示されるとおり、粘着性の無い中央領域８と、中央領域８の周囲（すなわち粘着性が有る周辺領域９の一部）と、が露出する。中央領域８とその周囲が露出した状態で、本発明の体表面被覆シート１は、被覆されるべき体表面に中央領域８が向かい合うように配置される。次に、粘着性の有る周辺領域９の前記一部が、体表面に貼り付けられて、体表面被覆シート１と体表面との位置関係が固定される。その後、第二の部分５が全て体表面被覆シート１から剥離される。そして、第二の部分５が体表面に貼り付けられる。
以上のように、本発明の体表面被覆シート１を体表面へ貼り付けることで、体表面を簡便に被覆することができる。そして、錯視模様が外部から視認可能となる。その結果、被覆された部分の外観が調節される。
【００５０】
（５）体表面被覆シートの第四の例（複数のドットを有する錯視模様）
体表面被覆シート１００を目立たなくするための、膨らみに対応するシート領域１０１に付される肌色について説明する。この肌色が均一に付されるよりも、わずかに色が異なった複数の肌色のドットが付されるほうが、より人の肌の状態に近くなる。この「わずかに色が異なった複数の肌色のドット」は、「肌色によるモザイク模様」と言い換えることができる。
【００５１】
したがって、膨らみに対応するシート領域１０１には、複数のドット群から構成されている模様が施されてもよい。このドット群は、複数のドットから構成されている。複数のドット群から構成されている模様の例を図７に示す。
【００５２】
図７に示されるとおり、この模様は複数のドット群Ｄ１０から構成されている。さらに、ドット群Ｄ１０は複数のドットＤ１から構成されている。なお、ドットＤ１及びドット群Ｄ１０の形状は矩形に限られず、例えば三角形、五角形、六角形、八角形等の多角形や、円形や楕円形等であってよい。
【００５３】
複数のドットＤ１のそれぞれは、規則的に配置されていてもよいし、ランダムに配置されていてもよい。複数のドット群Ｄ１０は、それぞれランダムに色属性値が設定されている。
【００５４】
この色属性値は、色相、明度、又は彩度のうち少なくともいずれか一つを含むことができる。色相は、色の相違を示す。明度は、色の明るさの度合いを示す。明度が高いほど、白色に近づき、明るい色になる。彩度は、色の鮮やかさの度合いを示す。彩度が高いほど、ビビッドで鮮やかな色になる。
【００５５】
この色属性値は、ＲＧＢ値又はＣＭＹＫ値で表すことができる。ＲＧＢ値又はＣＭＹＫ値は、色の色相、明度、彩度のそれぞれを表現できる。ＲＧＢ値は、Ｒ値、Ｇ値、Ｂ値から成る。Ｒ値は赤色の度合いを示す。Ｇ値は緑色の度合いを示す。Ｂ値は青色の度合いを示す。ＣＭＹＫ値は、Ｃ値、Ｍ値、Ｙ値、Ｋ値から成る。Ｃ値はシアン色の度合いを示す。Ｍ値はマゼンタ色の度合いを示す。Ｙ値は黄色の度合いを示す。Ｋ値は黒色の度合いを示す。
【００５６】
白色をＲＧＢ値で表現すると、Ｒ値が２５５、Ｇ値が２５５、Ｂ値が２５５となる。赤色をＲＧＢ値で表現すると、Ｒ値が２５５、Ｇ値が０、Ｂ値が０となる。紫色をＲＧＢ値で表現すると、Ｒ値が１２８、Ｇ値が０、Ｂ値が１２８となる。黒色をＲＧＢ値で表現すると、Ｒ値が０、Ｇ値が０、Ｂ値が０となる。
【００５７】
白色をＣＭＹＫ値で表現すると、Ｃ値が０、Ｍ値が０、Ｙ値が０、Ｋ値が０となる。赤色をＣＭＹＫ値で表現すると、Ｃ値が０、Ｍ値が１００、Ｙ値が１００、Ｋ値が０となる。紫色をＣＭＹＫ値で表現すると、Ｃ値が０、Ｍ値が１００、Ｙ値が０、Ｋ値が５０となる。黒色をＣＭＹＫ値で表現すると、Ｃ値が０、Ｍ値が０、Ｙ値が０、Ｋ値が１００となる。
【００５８】
複数のドット群から構成されている模様の例の全体図を図８に示す。図８に示されるとおり、人の肌の色に近い色によるモザイク模様とすることにより、この模様を付したシートが目立たないようにすることができる。
【００５９】
複数のドット群のそれぞれに対して、ランダムに色属性値を設定する方法について説明する。この方法は特に限定されないが、例えば、基準となる色属性値を設定し、その色属性値を変化させた複数の色属性値を、複数のドット群のそれぞれに対してランダムに設定してもよい。この場合、基準となる色属性値の例をＲＧＢ値で表現すると、Ｒ値が２１０、Ｇ値が１７４、Ｂ値が１４９とすることができる。基準となる色属性値の例をＣＭＹＫ値で表現すると、Ｃ値が２２、Ｍ値が３６、Ｙ値が４０、Ｋ値が０とすることができる。
【００６０】
あるいは、実際に人の肌を撮影した画像から、色属性値を抽出してもよい。具体的に説明すると、まず、実際に人の肌を撮影した画像から、カラーマップを作成する。カラーマップとは、ある画像が構成する複数のドットのそれぞれと、ドットごとの色属性値が関連付けられた色情報の集合である。次に、模様が構成する複数のドット群のそれぞれに対して、ランダムに色属性値を設定する。そして、この模様のカラーマップを、実際に人の肌を撮影した画像のカラーマップに変換する。このことにより、人の肌の色に近い色によるモザイク模様とすることができる。
【００６１】
ドット群の大きさは適宜変更されてもよい。例えば一つのドット群が構成するドットの数を変更することにより、ドット群の大きさを変更できる。図８に示される例は、ドット群の一辺が構成するドットの数が１０個である。
【００６２】
ドット群の大きさを図８より大きくした模様の例の全体図を図９に示す。図９に示される例は、ドット群の一辺が構成するドットの数が２０個である。ドット群の大きさを図８より小さくした模様の例の全体図を図１０に示す。図１０に示される例は、ドット群の一辺が構成するドットの数が２個である。
【００６３】
ドット群の大きさが小さいほど肌に近い状態になり、この模様を付したシートが目立たないようになる。なお、ドット群の大きさや形状は均一でなくともよい。
【００６４】
（５−１）色平均化処理
このようにモザイク模様にすることで人の肌の状態に近くなり、この模様を付したシートの膨らみや凹みが目立たなくなる。その一方で、複数のドット群のそれぞれの色の濃淡が目立ってしまう。人の肌の色は濃淡が小さいため、この模様の色の濃淡も小さいことが望ましい。
【００６５】
そこで、この模様が、このドットのＲＧＢ値を平均化する色平均化処理が連続的又は部分的に行われている模様であってもよい。色平均化処理とは、模様が有する複数の色を、それらの色の平均の色に近づける処理である。さらに具体的に説明すると、複数のドットのそれぞれのＲＧＢ値が、全てのドットの平均ＲＧＢ値と当該ＲＧＢ値の差が小さくなるように変換される処理である。模様が構成する複数のドットに対してこの色平均化処理が連続的又は部分的に行われる。
【００６６】
色平均化処理が行われた模様の例の全体図を図１１に示す。図１１に示されるとおり、色平均化処理が連続的に行われることで複数のドット群のそれぞれの色の濃淡が目立たなくなっている。
【００６７】
色平均化処理の方法について説明する。模様が構成する複数のドットの中から選定された任意のドットをドットＤＡとする。そして、このドットＤＡの色平均化処理前のＲＧＢ値をｈ１、このドットＤＡの色平均化処理後のＲＧＢ値をｈ２、この模様が構成する全てのドットの平均ＲＧＢ値をＨＡ、ｈ１とｈ２の差を調整する平均化パラメータをｐとする。
【００６８】
このとき、ｈ２が下式（１）を満たすように変換される処理が、色平均化処理である。模様が構成する複数のドットに対して、この平均化処理が連続的に行われる。
ｈ２＝（ｈ１−ＨＡ）／ｐ＋ＨＡ  ・・・（１）
【００６９】
前述したように、ＲＧＢ値は、Ｒ値、Ｇ値、Ｂ値から成る。したがって、Ｒ値、Ｇ値、Ｂ値のそれぞれについて、色平均化処理がなされる。Ｒ値、Ｇ値、Ｂ値の全てについて、色平均化処理がなされることが望ましいが、例えばＲ値とＧ値について、色平均化処理がなされてもよい。さらには、例えばＲ値のみについて、色平均化処理がなされてもよい。
【００７０】
上式（１）において平均化パラメータｐの値を調整することにより、模様を人の肌の状態に近づけることができる。平均化パラメータｐの値が大きいほど、ドットＤＡの色属性値は平均ＲＧＢ値ＨＡに近くなるように変換される。つまり、模様が有する色の濃淡が小さくなる。平均化パラメータｐの値が小さいほど、ドットＤＡの色属性値は平均ＲＧＢ値ＨＡから遠くなるように変換される。つまり、模様が有する色の濃淡が大きくなる。
【００７１】
平均化パラメータｐが分母にあるため、平均化パラメータｐの値は１以上６以下であることが望ましい。平均化パラメータｐの値を７以上にすると、ｈ１とｈ２の差が小さくなる。そのため、平均化パラメータｐの調整の効果が感じにくくなる。したがって、平均化パラメータｐの値は１以上６以下であることが望ましい。さらには、平均化パラメータｐの値は１以上２以下であることが望ましい。
【００７２】
（５−２）ぼかし処理
このように色平均化処理をすることで、複数のドット群のそれぞれの色の濃淡が目立たなくなる。その一方で、隣接するドット間又は隣接するドット群間の境界が目立ったままである。人の肌の状態に近づけるためには、このドット間及び／又はドット群間の境界は目立たないことが望ましい。
【００７３】
そこで、この模様が、ドット間及び／又はドット群間の境界をぼかすぼかし処理が連続的又は部分的に行われている模様であってもよい。ぼかし処理とは、隣接するドット間又はドット群間の境界付近にあるドットについては、そのドットを含む特定の領域内における色平均化処理をし、その境界と境界付近の色をなじませることにより、境界をぼかす処理である。さらに具体的に説明すると、ぼかし処理は、複数のドットのそれぞれのＲＧＢ値が、そのドットを含む特定の領域内の平均ＲＧＢ値と当該ＲＧＢ値の差が小さくなるように変換される処理である。模様が構成する複数のドットに対してこのぼかし処理が連続的又は部分的に行われる。
【００７４】
ぼかし処理が連続的に行われた模様の例の全体図を図１２に示す。図１２に示される模様の一部を拡大したものを図１３に示す。図１２、１３に示されるとおり、複数のドット群のそれぞれの境界が目立たなくなっている。
【００７５】
ぼかし処理の方法について説明する。模様が構成する複数のドットの中から選定された任意のドットをドットＤＢとする。そして、このドットＤＢのぼかし処理前のＲＧＢ値をｈ３、このドットＤＢのぼかし処理後のＲＧＢ値をｈ４、このドットＤＢを含む特定の領域内の全てのドットの平均ＲＧＢ値をＨＢ、前記ｈ３と前記ｈ４の差を調整する平均化パラメータをｐとする。
【００７６】
このとき、ｈ４が下式（２）を満たすように変換される処理が、ぼかし処理である。模様が構成する複数のドットに対して、このぼかし処理が連続的又は部分的に行われる。
ｈ４＝（ｈ３−ＨＢ）／ｐ＋ＨＢ  ・・・（２）
【００７７】
前述したように、ＲＧＢ値は、Ｒ値、Ｇ値、Ｂ値から成る。したがって、Ｒ値、Ｇ値、Ｂ値のそれぞれについて、ぼかし処理がなされる。Ｒ値、Ｇ値、Ｂ値の全てについて、ぼかし処理がなされることが望ましいが、例えばＲ値とＧ値について、ぼかし処理がなされてもよい。さらには、例えばＲ値のみについて、ぼかし処理がなされてもよい。
【００７８】
上式（２）において平均化パラメータｐの値を調整することにより、模様を人の肌の状態に近づけることができる。平均化パラメータｐの値が大きいほど、ドットＤＢの色属性値は平均ＲＧＢ値ＨＢに近くなるように変換される。つまり、境界がより目立たなくなる。平均化パラメータｐの値が小さいほど、ドットＤＢの色属性値は平均ＲＧＢ値ＨＢから遠くなるように変換される。つまり、境界がより目立つようになる。
【００７９】
平均化パラメータｐが分母にあるため、平均化パラメータｐの値は１以上であることが望ましい。平均化パラメータｐの値を２以上にすると、ｈ３とｈ４の差が小さくなる。そのため、平均化パラメータｐの調整の効果が感じにくくなる。したがって、平均化パラメータｐの値は１以上２以下であることが望ましい。
【００８０】
このぼかし処理が行われる特定の領域の設定方法について説明する。この特定の領域の形状は特に限定されないが、例えば、この特定の領域が正方形であるとする。この正方形の一辺の長さは、ぼかし領域パラメータｑを用いて「ｑ×２＋１」で定義できる。
【００８１】
例えばぼかし領域パラメータｑの値を１とすると、この正方形の一辺の長さは１×２＋１＝３となる。つまり、この正方形の一辺の長さはドット３個分である。したがって、この正方形が構成するドットの数は、３×３＝９個となる。ドットＤＢと、ドットＤＢの周囲にあるドット８個に対して、ぼかし処理が行われる。
【００８２】
例えばぼかし領域パラメータｑの値を２とすると、この正方形の一辺の長さは２×２＋１＝５となる。つまり、この正方形の一辺の長さはドット５個分である。したがって、この正方形が構成するドットの数は、５×５＝２５個となる。ドットＤＢと、ドットＤＢの周囲にあるドット２４個に対して、ぼかし処理が行われる。
【００８３】
なお、ぼかし処理が行われる特定の領域の形状は、正方形に限られない。この形状は、例えば円形や楕円形、又は長方形、三角形、五角形、六角形、八角形等の多角形であってよい。
【００８４】
（５−３）グラデーション処理
模様を付したシートの膨らみや凹みを目立たなくするために、この模様が、この模様の端から中心に向かうにつれて、それぞれのドットのＲＧＢ値が徐々に変化するようなグラデーション処理が連続的又は部分的に行われている模様であってもよい。グラデーション処理の効果については、「体表面被覆シートの第一の例」「体表面被覆シートの第二の例」において説明した通りである。
【００８５】
グラデーション処理が連続的に行われた模様の例の全体図を図１４に示す。図１４に示されるとおり、模様の端から中心に向かうにつれて、それぞれのドットのＲＧＢ値が徐々に変化している。
【００８６】
グラデーション処理の方法について説明する。模様が構成する複数のドットの中から選定された任意のドットをドットＤＧとする。そして、このドットＤＧのグラデーション処理前のＲＧＢ値をｈ５、ドットＤＧのグラデーション処理後のＲＧＢ値をｈ６、この模様の中心からドットＤＧまでの距離をｄ、明度パラメータをＡ、明度勾配パラメータをｓとする。
【００８７】
このとき、ｈ６が下式（３）を満たすように変換される処理が、グラデーション処理である。模様が構成する複数のドットに対して、このグラデーション処理が連続的又は部分的に行われる。
ｈ６＝ｈ５×｛１−Ａ×ｅｘｐ（−ｄ２／ｓ２）｝  ・・・（３）
【００８８】
前述したように、ＲＧＢ値は、Ｒ値、Ｇ値、Ｂ値から成る。したがって、Ｒ値、Ｇ値、Ｂ値のそれぞれについて、グラデーション処理がなされる。Ｒ値、Ｇ値、Ｂ値の全てについて、グラデーション処理がなされることが望ましいが、例えばＲ値とＧ値について、グラデーション処理がなされてもよい。さらには、例えばＲ値のみについて、グラデーション処理がなされてもよい。
【００８９】
明度パラメータＡは、模様の中心の明度を示す。明度パラメータＡの値は０以上１以下の値とすることができる。明度パラメータＡが０である場合は、模様に対してグラデーション処理が行われない。明度パラメータＡが１に近づくほど、模様の中心が暗くなる。つまり、模様の中心の色が黒に近づく。明度パラメータＡが１である場合は、模様の中心の色が黒になる。
【００９０】
明度勾配パラメータｓは、グラデーションの勾配の度合いを示す。明度勾配パラメータｓの値は０より大きい値とすることができる。明度勾配パラメータｓが大きいほど、グラデーションの勾配（ＲＧＢ値の変化）がゆるやかになる。明度勾配パラメータｓが小さいほど、グラデーションの勾配が急になる。つまり、明度勾配パラメータｓが小さいほど、中心付近のみが暗い模様になる。
【００９１】
なお、前述した例では、模様の中心が暗いグラデーションであったが、その逆に、模様の中心が明るいグラデーションであってもよい。また、模様の最も暗い部分又は最も明るい部分は、模様の中心に限られない。
【００９２】
なお、模様の最も暗い部分又は最も明るい部分は、模様の中心に限られない。あるいは、例えば図２及び３に示されるように、点に向かうグラデーションではなく線に向かうグラデーションであってもよい。
【００９３】
なお、模様が構成する全てのドットに対して、グラデーション処理が行われなくてもよい。例えば、模様の半分の領域に対して、グラデーション処理が行われてもよい。
【００９４】
（５−４）パラメータの組み合わせ
前述した色平均化処理、ぼかし処理、グラデーション処理等は組み合わせることができる。ドット群の大きさ（ドット群を正方形としたときの一辺あたりのドットの数）、平均化パラメータｐ、ぼかし領域パラメータｑを変化させたときの模様の例の全体図を図１５〜１９に示す。
【００９５】
ドット群の大きさを５、平均化パラメータｐを３、ぼかし領域パラメータｑを１０としたときの模様の例の全体図を図１５に示す。ドット群の大きさを１０、平均化パラメータｐを２、ぼかし領域パラメータｑを２０としたときの模様の例の全体図を図１６に示す。ドット群の大きさを１０、平均化パラメータｐを５、ぼかし領域パラメータｑを０としたときの模様の例の全体図を図１７に示す。ドット群の大きさを１５、平均化パラメータｐを３、ぼかし領域パラメータｑを１０としたときの模様の例の全体図を図１８に示す。ドット群の大きさを１５、平均化パラメータｐを４、ぼかし領域パラメータｑを５としたときの模様の例の全体図を図１９に示す。図１５〜１９に示される模様は人の肌の状態に近い。そのため、これらのパラメータの値を設定することが望ましい。
【００９６】
（６）体表面被覆シートの第五の例（ストーマ袋）
本発明の体表面被覆シートは、ストーマ装具の全体を被覆するだけでなく、このストーマ装具が備えており、排泄物を収容するストーマ袋に用いられることができる。
【００９７】
ストーマ装具の例を示す断面図を図２０に示す。図２０に示されているストーマ装具は、ストーマ袋２００を備えており、体表面に取り付けられる。ストーマ袋２００の形状は特に限定されない。ストーマ袋２００の体表面対向面と反対側の面に、前記シートが用いられることができる。なお、本発明の体表面被覆シートを用いたストーマ袋の実施態様としては、ストーマ袋に面板が一体的に結合した所謂ワンピースタイプのストーマ装具でもよいし、ストーマ袋と面板とが分離可能に結合される所謂ツーピースタイプのストーマ装具でもよい。
【００９８】
このことにより、人の肌の色とストーマ袋２００の色との境界が目立ちにくくなる。例えばストーマ袋２００が排泄物を収容し膨らんでいる状態であっても、外観を目立たないようにすることができる。
【００９９】
なお、ストーマ袋２００は、前記シートが積層されていてもよいし、ストーマ袋２００の表面に錯視模様が施されていてもよい。
【０１００】
また、前記シートは、このストーマ袋２００のほかに、例えばドレナージパウチ、排便用バッグ、蓄尿用バッグ、採尿用バッグ等に用いられることができる。
【０１０１】
なお、本明細書中に記載した効果はあくまでも例示であって限定されるものではなく、また他の効果があってもよい。
【０１０２】
なお、本技術は、以下のような構成をとることもできる。
［１］錯視を引き起こす模様が、体表面対向面と反対側の面に施されている、体表面を被覆するためのシート。
［２］前記模様が、前記シートにより被覆される体表面に設けられた構造物による膨らみ又は前記シートにより被覆される体表面の膨らみ若しくは凹みを目立たないようにする錯視を引き起こすものである、［１］に記載のシート。
［３］前記錯視がクレーター錯視である、［１］又は［２］に記載のシート。
［４］前記膨らみ又は前記凹みに対応するシート領域の上部又は下部に、他のシート領域と比べて低い明度を有する部分が設けられている、［２］又は［３］に記載のシート。
［５］前記低い明度を有する部分が、前記膨らみの端から中心に向かうにつれて明度が徐々に高くなるようなグラデーションを有する、［４］に記載のシート。
［６］前記低い明度を有する部分が、前記凹みの端から中心に向かうにつれて明度が徐々に高くなるようなグラデーションを有する、［４］に記載のシート。
［７］前記体表面対向面に粘着性を有する領域が設けられている、［１］〜［６］ののいずれか一つに記載のシート。
［８］前記反対側の面が肌色である、［１］〜［７］のいずれか一つに記載のシート。
［９］前記模様が、複数のドット群から構成されており、前記ドット群が、複数のドットから構成されており、
前記複数のドット群が、それぞれランダムに色属性値が設定されている、
［１］〜［８］のいずれか一つに記載のシート。
［１０］前記模様が、複数のドットから構成されており、
前記複数のドットは、それぞれ色属性値が設定されており、前記複数のドットのＲＧＢ値を平均化する色平均化処理が行われている、
［１］〜［９］のいずれか一つに記載のシート。
［１１］前記模様が、複数のドットから構成されており、
前記複数のドットは、それぞれ色属性値が設定されており、前記複数のドット間の境界をぼかすぼかし処理が行われている、
［１］〜［１０］のいずれか一つに記載のシート。
［１２］前記模様が、複数のドットから構成されており、
前記複数のドットは、それぞれ色属性値が設定されており、前記模様の端から中心に向かうにつれて、それぞれのドットのＲＧＢ値が徐々に変化するようなグラデーション処理が連続的に行われている、
［１］〜［１１］のいずれか一つに記載のシート。
［１３］［１］〜［１２］のいずれか一つに記載のシートが、体表面対向面と反対側の面に用いられているストーマ袋。
【符号の説明】
【０１０３】
１  体表面被覆シート
２  本体部
３  剥離可能シート
４  第一の部分
５  第二の部分
１００  体表面被覆シート
１０１  膨らみに対応するシート領域
１０２  中央部分１０３よりも低い明度を有する部分
１０３  中央部分
１０４  中央部分１０３よりも高い明度を有する部分
１０５  周囲部分
２００  ストーマ袋
【図１】
2019130309.tif 000003
【図２】
2019130309.tif 000004
【図３】
2019130309.tif 000005
【図４】
2019130309.tif 000006
【図５】
2019130309.tif 000007
【図６】
2019130309.tif 000008
【図７】
2019130309.tif 000009
【図８】
2019130309.tif 000010
【図９】
2019130309.tif 000011
【図１０】
2019130309.tif 000012
【図１１】
2019130309.tif 000013
【図１２】
2019130309.tif 000014
【図１３】
2019130309.tif 000015
【図１４】
2019130309.tif 000016
【図１５】
2019130309.tif 000017
【図１６】
2019130309.tif 000018
【図１７】
2019130309.tif 000019
【図１８】
2019130309.tif 000020
【図１９】
2019130309.tif 000021
【図２０】
2019130309.tif 000022